(57)【要約】【課題】配管中を流れる流体の抵抗にならず、そのうえ、メッシュが目詰まりを起こすことがなく、パッキンの経年変化（劣化）に起因する局所的な崩壊に伴う異物の混入を確実に食品加工プラント用配管継手に適用されるパッキンを提供すること。【解決手段】Ｏリングと、前記Ｏリングの内周および外周の両側に沿って該Ｏリングと一体的に形成された環状部とからなる食品加工プラント用パッキンであって、ゴムと、該ゴム内に均一に混入された磁性粉とからなることを特徴とする。【選択図】図１
0003135558.tif 000002
【実用新案登録請求の範囲】
【請求項１】
Ｏリングと、
前記Ｏリングの内周および外周の両側に沿って該Ｏリングと一体的に形成された環状部と
からなる食品加工プラント用パッキンであって、
ゴムと、該ゴム内に均一に混入された磁性粉とからなる
ことを特徴とするパッキン。
【請求項２】
前記磁性粉のゴムに対する配合率が１０〜３０重量％である請求項１記載のパッキン。
【請求項３】
前記磁性粉の粒径が０．１〜１５０μｍである請求項１または２記載のパッキン。
【請求項４】
前記磁性粉の粒径が０．１〜０．３μｍである請求項１または２記載のパッキン。
【請求項５】
２または３以上の配管の隣り合う２つの配管と、
当該隣り合う２つの配管のそれぞれの端部に設けられた継手と、
前記継手の間に挟持された請求項１記載のパッキンとからなる
食品加工プラント用配管継手構造体であって、
前記パッキンのＯリングが、前記継手の対向する面に略円形状に設けられた溝に嵌入され、
前記環状部が前記継手の対向する面に挟持されてなる
ことを特徴とする食品加工プラント用配管継手構造体。
【考案の詳細な説明】
【技術分野】
【０００１】
本考案は食品加工プラント用パッキンおよび当該パッキンを用いた食品加工プラント用配管継手構造体に関する。
【背景技術】
【０００２】
パッキン材やシール材は、プレス加硫されたシート状のゴム材料から打抜きなどの加工により製造される。素材として使用されるゴムは、耐油性のＮＢＲが多く、他にＳＢＲ，ＮＲ，ＣＲ，ＥＰＤＭ，１１Ｒや特殊用として、ＦＲ，Ｓｉなどがあげられる。またパッキン材及びシール材の必要性として使用目的に応じて、耐油性を必要としないものに用いるもの、耐油性が優れているものに用いるもの、耐熱・耐寒性が優れているものに用いるもの、耐熱性と耐油性が優れているものに用いるものに大別されている。
【０００３】
そして、シール特性を良くするため、面圧分布をコンスタントにするゴム材の中に磁性粉を混入させ、シール面に接する鉄系材料の密着性を良くしたものもある。
【０００４】
通常、ゴム内に磁性粉を混入させたタイプのパッキング・シール材は、ゴム材と磁性粉を混ぜる場合、ゴムをネリ上げる際に磁性粉を混入させ、これをプレス加工してシート状とし、これから打抜き加工で製造されるが、磁性粉を混入したパッキング・シール材を管継手など使用した場合、シール材が磁性を帯びているため、冷却水路や潤滑通路を流れる流体中のアカサビや鉄系摩耗粉などがシール材に付着して通路を狭くしたり、継手間のスキマを腐蝕させやすくするなどの問題が生じる。
【０００５】
そこで、特許文献１記載の考案では、ディスク状のキャビテイが形成された金型内に粉体を充填し成型したディスク状のパッキン・シール材において、磁性粉を含んだゴム粒子をディスク状のキャビテイの底面と外周面に接するように充填し、他方ゴム材料を上面と内周面に接するように充填してこれらを一体成形されてなるものとしている。
【０００６】
特許文献１記載の考案は、かかる構成により、パッキン材は、その表裏いずれかとその外周面は磁性粉を含んだ磁性シール層であり、継手に装着したときにその磁力により密着が良好となり、また内周面は通常のゴム層からなるため、流体中のアカサビや鉄系摩耗粉などが付着することがなくなるというものである。
【０００７】
【特許文献１】特開平５−１７２２５３号公報
【考案の開示】
【考案が解決しようとする課題】
【０００８】
叙上のとおり、内燃機関、発電用蒸気プラント、原子力プラントなどの燃料、潤滑油、冷却水、蒸気用のいわゆる一般配管に使用される継手のシール用のパッキンでは、シール特性をより良くすることを技術的課題としているのであるが、飲料水、酒、味醂、醤油、ソース、酢、ケチャップなどの食品加工装置に用いられる食品加工プラント用配管継手に適用されるパッキンには、上記一般配管用継手に適用されるパッキンに求められるシール特性以上に、パッキンの経年変化（劣化）に起因する局所的な崩壊に伴う異物の混入防止が求められている。
【０００９】
しかし、食品加工プラントの場合、プラントを定期的に停止して、配管および継手を保守点検することによってパッキンの経年変化（劣化）の有無を目視により確認し、配管系統に配設された濾過器（strainer）によって異物を除去しているが、メッシュが大きければ異物がメッシュを通過し、異物の混入が避けられず、メッシュを小さくすると、配管中を流れる流体の抵抗になり、そのうえ、メッシュが目詰まりを起こすという問題がある。
【００１０】
そこで、本考案は、配管中を流れる流体の抵抗にならず、そのうえ、メッシュが目詰まりを起こすことがなく、パッキンの経年変化（劣化）に起因する局所的な崩壊に伴う異物の除去を確実にする食品加工プラント用配管継手に適用されるパッキンを提供することを目的とするものである。
【課題を解決するための手段】
【００１１】
本考案の第１の態様は、Ｏリングと、
前記Ｏリングの内周および外周の両側に沿って該Ｏリングと一体的に形成された環状部と
からなる食品加工プラント用パッキンであって、
ゴムと、該ゴム内に均一に混入された磁性粉とからなる
ことを特徴とする。
【００１２】
また、前記磁性粉のゴムに対する配合率が１０〜３０重量％であることが好ましい。
【００１３】
また、前記磁性粉の粒径が０．１〜１５０μｍであることが好ましい。
【００１４】
また、前記磁性粉の粒径が０．１〜０．３μｍであることが好ましい。
【００１５】
本考案の第２の態様は、２または３以上の配管の隣り合う２つの配管と、
当該隣り合う２つの配管のそれぞれの端部に設けられた継手と、
前記継手の間に挟持されたパッキンとからなる
食品加工プラント用配管継手構造体であって、
前記パッキンのＯリングが、前記継手の対向する面に略円形状に設けられた溝に嵌入され、
前記環状部が前記継手の対向する面に挟持されてなる
ことを特徴とする。
【考案の効果】
【００１６】
本考案によれば、配管中を流れる流体の抵抗にならず、そのうえ、メッシュが目詰まりを起こすことがなく、パッキンの経年変化（劣化）に起因する局所的な崩壊に伴う異物の除去を確実にする食品加工プラント用配管継手に適用されるパッキンを提供することができる。
【考案を実施するための最良の形態】
【００１７】
添付図面を参照しつつ本考案の食品加工プラント用パッキン（以下、パッキンという）および当該パッキンを用いた食品加工プラント用配管継手構造体について、以下に詳細に説明する。
【００１８】
図１は本考案のパッキンの一例を示す断面説明図、図２は図１のパッキンが使用された食品加工プラント用配管継手構造体を示す説明図である。
【００１９】
図１において、参照符号１は本考案のパッキンを示しており、参照符号１ａはＯリング部、参照符号１ｂおよび１ｃは環状部、参照符号Ｆは磁性粉をそれぞれ示している。
【００２０】
図１を参照すると、本実施の形態にかかわるパッキン１は、Ｏリング１ａと、Ｏリング１ａの外周側に沿って該Ｏリング１ａと一体的に形成された環状部１ｂと、Ｏリング１ａの内周側に沿って該Ｏリング１ａと一体的に形成された環状部１ｃとから構成されている。
【００２１】
そして、当該パッキン１は、ゴムと、該ゴム内に均一に混入された磁性粉Ｆとから構成される。
【００２２】
ゴム材としては、例えば、シリコーンゴム、ＥＰＤＭ、ＩＩＲ、ＮＢＲ、ＣＲ、ＦＲなどがあり、樹脂材としてＰＴＦＥなどが採用され得る。本考案のパッキンが食品加工プラントのシール材として使用されることからシリコーンゴム、ＥＰＤＭ、ＦＲなどのゴム材と、ＰＴＦＥが樹脂材として好適に採用される。
【００２３】
磁性粉Ｆのゴムに対する配合率としては、１０〜３０重量％が採用される。
【００２４】
磁性粉Ｆの粒径としては、０．１〜１５０μｍの範囲のものを採用することができるが、磁性粉として酸化鉄（Ｆｅ2Ｏ3）粉を用いると、粒径が０．１〜０．３μｍであるので非常に小さいため、ゴムに混ぜやすいという利点と、酸化しているため耐酸性があり、さびにくいという利点がある。また、酸化鉄粉の中には磁性のないものがあるが、黒色酸化鉄粉（Ｆｅ3Ｏ4）を採用すると着磁性があり、磁力を受けやすいというさらなる利点がある。黒色酸化鉄粉は市販されているものを採用することができる。
【００２５】
つぎに図２を参照すると、本考案の食品加工プラント用配管継手構造体は、隣り合う２つの配管Ｐ１、Ｐ２と、当該隣り合う２つの配管Ｐ１、Ｐ２のそれぞれの端部に設けられたフランジ継手ｆ１、ｆ２と、前記フランジ継手ｆ２の間に挟持されたパッキン１とから構成される。
【００２６】
そして、パッキン１のＯリング１ａは、前記フランジ継手ｆ１、ｆ２の対向する面Ｓに略円形状に設けられた溝ｇに嵌入され、前記環状部１ｂ、１ｃは前記フランジ継手ｆ１、ｆ２の対向する面Ｓに、ボルトナット（図示されず）など従来より公知の締結手段によって挟持される。
【００２７】
また、図２に示されるような食品加工プラント用配管継手構造体を採用すると、少なくともプラントを頻繁に停止して、配管および継手を保守点検する必要はなくなる。配管系統には、濾過器（図示されず）が配設されてはいるが、パッキン１が局所的に崩壊して生じた異物は、配管系統内に磁石が設けられたトラップ（trap）（図示されず）を配設しておくと、パッキン１には磁性粉が含まれているため、当該異物はトラップによって確実に捕捉される。このため、配管系統に異物が混入することを回避でき、ひいては加工された食品中への異物の混入を防止することができる。
【図面の簡単な説明】
【００２８】
【図１】本考案のパッキンの一例を示す断面説明図である。
【図２】図１のパッキンが使用された食品加工プラント用配管継手構造体を示す説明図である。
【符号の説明】
【００２９】
１  パッキン
１ａ  Ｏリング
１ｂ、１ｃ  環状部
Ｆ  磁性粉
ｆ１、ｆ２  継手
ｇ  溝
Ｐ１、Ｐ２  配管
【図１】
0003135558.tif 000003
【図２】
0003135558.tif 000004